(57)【特許請求の範囲】
【請求項１】
パケットの送信要求を受け付ける送信要求受付手段と、上記送信要求受付手段がパケットの送信要求を受け付けると、そのパケットを基地局に送信する送信処理手段とを備えた移動局において、上記送信要求受付手段は、上記送信処理手段がセルの更新処理を開始すると、上記送信処理手段によるセルの更新処理が完了するまでの間、パケットの送信要求を上記送信処理手段に与えずに保持することを特徴とする移動局。
【請求項２】
送信要求受付手段の一部を構成するアダプタ部がパケットの送信要求を保持することを特徴とする請求項１記載の移動局。
【請求項３】
送信要求受付手段の一部を構成する無線回線終端部のパケット受信部がパケットの送信要求を保持することを特徴とする請求項１記載の移動局。
【請求項４】
パケットの送信要求を受け付ける送信要求受付手段と、上記送信要求受付手段がパケットの送信要求を受け付けると、そのパケットを基地局に送信する送信処理手段とを備えた移動局において、上記送信要求受付手段は、上記送信処理手段がセルの更新処理を開始すると、上記送信処理手段によるセルの更新処理が完了するまでの間、パケットの送信要求の発生を禁止することを特徴とする移動局。
【請求項５】
パケットの送信要求を受け付ける送信要求受付手段と、上記送信要求受付手段がパケットの送信要求を受け付けると、そのパケットを基地局に送信する送信処理手段とを備えた移動局において、上記送信要求受付手段は、上記送信処理手段からパケットの送信要求を廃棄した旨の通知を受けると、再度、そのパケットの送信要求を上記送信処理手段に与えることを特徴とする移動局。
【請求項６】
送信要求受付手段はパケットの送信要求を送信処理手段に与える際、その送信要求にシーケンス番号を付加して上記送信処理手段に与える一方、上記送信処理手段から廃棄された送信要求のシーケンス番号の一覧を受けることを特徴とする請求項５記載の移動局。
【請求項７】
パケットの送信要求を受け付ける送信要求受付手段と、上記送信要求受付手段により受け付けられたパケットの送信要求を移動局に与える要求出力手段とを備えた終端端末装置において、上記要求出力手段は、上記移動局がセルの更新処理を開始すると、上記移動局によるセルの更新処理が完了するまでの間、パケットの送信要求を上記移動局に与えずに保持することを特徴とする終端端末装置。
【請求項８】
パケットの送信要求を受け付ける送信要求受付手段と、上記送信要求受付手段により受け付けられたパケットの送信要求を移動局に与える要求出力手段とを備えた終端端末装置において、上記要求出力手段は、上記移動局がセルの更新処理を開始すると、上記移動局によるセルの更新処理が完了するまでの間、パケットの送信要求の発生を禁止することを特徴とする終端端末装置。
【請求項９】
パケットの送信要求を受け付ける送信要求受付手段と、上記送信要求受付手段により受け付けられたパケットの送信要求を移動局に与える要求出力手段とを備えた終端端末装置において、上記要求出力手段は、上記移動局からパケットの送信要求を廃棄した旨の通知を受けると、再度、そのパケットの送信要求を上記移動局に与えることを特徴とする終端端末装置。
【請求項１０】
通信回線を制御する基地局と、パケットの送信要求を受け付ける送信要求受付手段を有するとともに、そのパケットを上記基地局に送信する送信処理手段を有する移動局とを備えたパケット通信システムにおいて、上記移動局の送信要求受付手段は、上記移動局の送信処理手段がセルの更新処理を開始すると、上記送信処理手段によるセルの更新処理が完了するまでの間、パケットの送信要求を上記送信処理手段に与えずに保持することを特徴とするパケット通信システム。
【請求項１１】
通信回線を制御する基地局と、パケットの送信要求を受け付ける送信要求受付手段を有するとともに、そのパケットを上記基地局に送信する送信処理手段を有する移動局とを備えたパケット通信システムにおいて、上記移動局の送信要求受付手段は、上記移動局の送信処理手段がセルの更新処理を開始すると、上記送信処理手段によるセルの更新処理が完了するまでの間、パケットの送信要求の発生を禁止することを特徴とするパケット通信システム。
【請求項１２】
通信回線を制御する基地局と、パケットの送信要求を受け付ける送信要求受付手段を有するとともに、そのパケットを上記基地局に送信する送信処理手段を有する移動局とを備えたパケット通信システムにおいて、上記移動局の送信要求受付手段は、上記送信処理手段からパケットの送信要求を廃棄した旨の通知を受けると、再度、そのパケットの送信要求を上記送信処理手段に与えることを特徴とするパケット通信システム。
【請求項１３】
パケットの送信要求を受け付けると、そのパケットを基地局に送信する移動局のパケット通信方法において、上記移動局がセルの更新処理を開始すると、上記移動局によるセルの更新処理が完了するまでの間、パケットの送信処理を実施する上記移動局内の処理部に対してパケットの送信要求を与えずに保持することを特徴とするパケット通信方法。
【請求項１４】
パケットの送信要求を受け付けると、そのパケットを基地局に送信する移動局のパケット通信方法において、上記移動局がセルの更新処理を開始すると、上記移動局によるセルの更新処理が完了するまでの間、パケットの送信要求の発生を禁止することを特徴とするパケット通信方法。
【請求項１５】
パケットの送信要求を受け付けると、そのパケットを基地局に送信する移動局のパケット通信方法において、パケットの送信処理を実施する上記移動局内の処理部からパケットの送信要求を廃棄した旨の通知を受けると、再度、そのパケットの送信要求を上記処理部に与えることを特徴とするパケット通信方法。
【発明の詳細な説明】
【０００１】
【発明の属する技術分野】
この発明は、パケットの通信処理を行う移動局、終端端末装置、パケット通信システム及びパケット通信方法に関するものである。
【０００２】
【従来の技術】
図８は従来のパケット通信システムの処理内容を示す処理フロー図である。図において、１はパケットの送信要求を発生する端末装置（以下、ＴＥ：Ｔｅｒｍｉｎａｌ  Ｅｑｕｉｐｍｅｎｔという）、２はパケットの送信要求を受け付けるアダプタ部（以下、ＴＡＦ：Ｔｅｒｍｉｎａｌ  Ａｄａｐｔａｔｉｏｎ  Ｆｕｎｃｔｉｏｎ）、３はＴＡＦ２がパケットの送信要求を受け付けると、個別チャネル、又は共通チャネルを利用して当該パケットを基地局４に送信する一方、共通チャネル通信中に基地局４より個別チャネルから共通チャネルへの切替要求を受けると、チャネルの切替処理が完了するまでの間、パケットの送信処理を中断するユーザチャネル用の無線回線再送制御部（以下、ＲＬＣ−Ｕという）を有する無線回線終端部（以下、ＭＴＦ：Ｍｏｂｉｌｅ  Ｔｅｒｍｉｎａｔｉｏｎ  Ｆｕｎｃｔｉｏｎという）である。ＭＴＦはセルの更新処理のみの動作でもパケットの送信処理を中断する。なお、ＴＥ１、ＴＡＦ２及びＭＴＦ３から移動局が構成されている。
【０００３】
４は通信状況に応じて個別チャネルから共通チャネルへの切替要求を移動局に送信する基地局（以下、ＢＳ：Ｂａｓｅ  Ｓｔａｔｉｏｎという）である。ただし、ここでのＢＳ４は、いわゆる基地局（ＢＴＳ：Ｂａｓｅ  Ｔｒａｎｓｃｅｉｖｅｒ  Ｓｔａｔｉｏｎ）だけでなく、基地局制御装置（ＲＮＣ：Ｒａｄｉｏ  Ｎｅｔｗｏｒｋ  Ｃｏｎｔｒｏｌｌｅｒ）や移動体交換装置（ＭＳＣ：Ｍｏｂｉｌｅ  Ｓｗｉｔｃｈｉｎｇ  Ｃｅｎｔｅｒ）を含む概念である。
【０００４】
次に動作について説明する。
まず、移動局のＴＥ１は、ＨＭＩ機能など、実際のユーザインタフェースをつかさどる機能を有し、ユーザの操作等にしたがってパケットの送信要求を発生する。ただし、ここでは説明の便宜上、移動局とＢＳ４間には個別チャネルが張られているものとする。
【０００５】
移動局のＴＡＦ２は、ＴＥ１がパケットの送信要求を発生すると、そのパケットの送信要求を受け付けて、そのパケットの送信要求をＭＴＦ３に出力する。
移動局のＭＴＦ３は、ＴＡＦ２からパケットの送信要求を受けると、個別チャネルを利用してパケットをＢＳ４に送信する。
これにより、ＢＳ４はパケットを受信して、そのパケットを他の移動局等に送信する。
【０００６】
ここで、ＢＳ４は、移動局との通信状況を絶えず監視し、例えば、パケットの通信量が減少してくると、移動局との通信回線を個別チャネルから共通チャネルへ切り替えても、パケット通信に大きな影響を与えることなく、パケット通信を継続することができる。
このような場合、無線帯域の効率的な運用を図る観点から、ＢＳ４は、移動局に対して個別チャネルから共通チャネルへの切替要求（例えば、ＰＨＹＳＩＣＡＬ  ＣＨＡＮＮＥＬ  ＲＥＣＯＮＦＩＧＵＲＡＴＩＯＮ）を発信する。
【０００７】
移動局のＭＴＦ３は、ＢＳ４からチャネルの切替要求を受けると、Ｕ−ｐｌａｎｅ無線レイヤ２におけるパケットの再送制御を行うＲＬＣ−Ｕ（図９を参照）を中断状態（Ｓｕｓｐｅｎｄ状態）に遷移させる。
そして、移動局のＭＴＦ３は、３ＧＰＰ規格（ＴＳ２５．３３１：ＲＲＣ  ｐｒｏｔｏｃｏｌ  ｓｐｅｃｉｆｉｃａｔｉｏｎ）にしたがって動作するので、セルの更新処理を開始して、セル位置の更新要求（例えば、ＣＥＬＬ  ＵＰＤＡＴＥ）をＢＳ４に送信する。
【０００８】
ＢＳ４は、移動局からセル位置の更新要求を受けると、その移動局の位置を確認し、その移動局に対してセル位置の更新確認（例えばＣＥＬＬ  ＵＰＤＡＴＥＣＯＮＦＩＲＭ）を発信する。このとき、ＢＳ４は、移動局のＭＴＦ３のＲＬＣ−Ｕの再設定指示（ＲＬＣ−Ｕのリンクリセット指示）を付加することがある。
【０００９】
これにより、移動局のＭＴＦ３のＲＬＣ−Ｕは、Ｕ−ｐｌａｎｅ無線レイヤ２の再設定を実施するが、再設定を実際に行うと、ＭＴＦ３のＲＬＣ−Ｕに保持されているパケットの送信要求は廃棄されるため、図８に示すように、中断状態に遷移した後、ＴＡＦ２から出力されたパケットの送信要求についてはＢＳ４に送信されないで廃棄される。
【００１０】
なお、移動局のＭＴＦ３のＲＬＣ−Ｕが上記のようにしてＵ−ｐｌａｎｅ無線レイヤ２の再設定が完了し、保持していたパケットの送信要求を廃棄すると、移動局のＭＴＦ３はチャネルの切替完了通知（例えば、ＰＨＹＳＩＣＡＬ  ＣＨＡＮＮＥＬ  ＲＥＣＯＮＦＩＧＵＲＡＴＩＯＮ  ＣＯＭＰＬＥＴＥ）をＢＳ４に送信し、中断状態（Ｓｕｓｐｅｎｄ状態）を解除する。
【００１１】
【発明が解決しようとする課題】
従来のパケット通信システムは以上のように構成されているので、ＲＬＣ−Ｕが中断状態（Ｓｕｓｐｅｎｄ状態）に遷移した後、ＴＡＦ２からパケットの送信要求が出力されると、ＲＬＣ−Ｕによりパケットの送信要求が保持される。しかし、ＢＳ４からＵ−ｐｌａｎｅ無線レイヤ２の再設定指示を受けると、ＲＬＣ−Ｕが保持していたパケットの送信要求が廃棄されるため、そのパケットがＢＳ４に送信されなくなるなどの課題があった。
【００１２】
この発明は上記のような課題を解決するためになされたもので、基地局からＲＬＣ−Ｕの再設定指示を受けても、パケットの送信要求が廃棄されることなく、そのパケットを確実に基地局に送信することができる移動局、終端端末装置、パケット通信システム及びパケット通信方法を得ることを目的とする。
【００１３】
【課題を解決するための手段】
この発明に係る移動局は、送信処理手段がセルの更新処理を開始すると、送信処理手段によるセルの更新処理が完了するまでの間、送信要求受付手段がパケットの送信要求を送信処理手段に与えずに保持するようにしたものである。
【００１４】
この発明に係る移動局は、送信要求受付手段の一部を構成するアダプタ部がパケットの送信要求を保持するようにしたものである。
【００１５】
この発明に係る移動局は、送信要求受付手段の一部を構成する無線回線終端部のパケット受信部がパケットの送信要求を保持するようにしたものである。
【００１６】
この発明に係る移動局は、送信処理手段がセルの更新処理を開始すると、送信処理手段によるセルの更新処理が完了するまでの間、送信要求受付手段がパケットの送信要求の発生を禁止するようにしたものである。
【００１７】
この発明に係る移動局は、送信処理手段からパケットの送信要求を廃棄した旨の通知を受けると、再度、送信要求受付手段がそのパケットの送信要求を送信処理手段に与えるようにしたものである。
【００１８】
この発明に係る移動局は、送信要求受付手段がパケットの送信要求を送信処理手段に与える際、その送信要求にシーケンス番号を付加して送信処理手段に与える一方、送信処理手段から廃棄された送信要求のシーケンス番号の一覧を受けるようにしたものである。
【００１９】
この発明に係る終端端末装置は、移動局がセルの更新処理を開始すると、移動局によるセルの更新処理が完了するまでの間、要求出力手段がパケットの送信要求を移動局に与えずに保持するようにしたものである。
【００２０】
この発明に係る終端端末装置は、移動局がセルの更新処理を開始すると、移動局によるセルの更新処理が完了するまでの間、要求出力手段がパケットの送信要求の発生を禁止するようにしたものである。
【００２１】
この発明に係る終端端末装置は、移動局からパケットの送信要求を廃棄した旨の通知を受けると、再度、要求出力手段がそのパケットの送信要求を移動局に与えるようにしたものである。
【００２２】
この発明に係るパケット通信システムは、移動局の送信処理手段がセルの更新処理を開始すると、送信処理手段によるセルの更新処理が完了するまでの間、移動局の送信要求受付手段がパケットの送信要求を送信処理手段に与えずに保持するようにしたものである。
【００２３】
この発明に係るパケット通信システムは、移動局の送信処理手段がセルの更新処理を開始すると、送信処理手段によるセルの更新処理が完了するまでの間、移動局の送信要求受付手段がパケットの送信要求の発生を禁止するようにしたものである。
【００２４】
この発明に係るパケット通信システムは、送信処理手段からパケットの送信要求を廃棄した旨の通知を受けると、再度、移動局の送信要求受付手段がそのパケットの送信要求を送信処理手段に与えるようにしたものである。
【００２５】
この発明に係るパケット通信方法は、移動局がセルの更新処理を開始すると、移動局によるセルの更新処理が完了するまでの間、パケットの送信処理を実施する移動局内の処理部に対してパケットの送信要求を与えずに保持するようにしたものである。
【００２６】
この発明に係るパケット通信方法は、移動局がセルの更新処理を開始すると、移動局によるセルの更新処理が完了するまでの間、パケットの送信要求の発生を禁止するようにしたものである。
【００２７】
この発明に係るパケット通信方法は、パケットの送信処理を実施する移動局内の処理部からパケットの送信要求を廃棄した旨の通知を受けると、再度、そのパケットの送信要求を処理部に与えるようにしたものである。
【００２８】
【発明の実施の形態】
以下、この発明の実施の一形態を説明する。
実施の形態１．
図１はこの発明の実施の形態１によるパケット通信システムの処理内容を示す処理フロー図である。図において、１１はパケットの送信要求を発生するＴＥ、１２はパケットの送信要求を受け付けるアダプタ部であるＴＡＦ（送信要求受付手段）、１３はＴＡＦ１２がパケットの送信要求を受け付けると、個別チャネル又は共通チャネルを利用して当該パケットをＢＳ１４に送信する一方、ＭＴＦ１３が共通チャネル通信中にＢＳ１４より個別チャネルから共通チャネルへの切替要求を受けると、チャネルの切替処理が完了するまでの間、パケットの送信処理を中断するＲＬＣ−Ｕを有する無線回線終端部であるＭＴＦ（送信処理手段）である。なお、ＴＥ１１、ＴＡＦ１２及びＭＴＦ１３から移動局が構成されている。
【００２９】
１４は通信状況に応じて個別チャネルから共通チャネルへの切替要求を移動局に送信するＢＳである。ただし、ここでのＢＳ１４は、いわゆる基地局（ＢＴＳ：Ｂａｓｅ  Ｔｒａｎｓｃｅｉｖｅｒ  Ｓｔａｔｉｏｎ）だけでなく、基地局制御装置（ＲＮＣ：Ｒａｄｉｏ  Ｎｅｔｗｏｒｋ  Ｃｏｎｔｒｏｌｌｅｒ）や移動体交換装置（ＭＳＣ：Ｍｏｂｉｌｅ  Ｓｗｉｔｃｈｉｎｇ  Ｃｅｎｔｅｒ）を含む概念である。
図２はＲＬＣ−Ｕの処理内容を示すフローチャート、図３はＴＡＦの処理内容を示すフローチャートである。
【００３０】
次に動作について説明する。
移動局のＭＴＦ１３とＢＳ１４間に個別チャネルが張られている状態のとき、ＢＳ１４が個別チャネルから共通チャネルへの切替要求（例えばＰＨＹＳＩＣＡＬ  ＣＨＡＮＮＥＬ  ＲＥＣＯＮＦＩＧＵＲＡＴＩＯＮ）を発信すると、移動局のＭＴＦ１３は、Ｕ−ｐｌａｎｅ無線レイヤ２におけるパケットの再送制御を行うＲＬＣ−Ｕに対して中断状態（Ｓｕｓｐｅｎｄ状態）の遷移要求を出力する。
【００３１】
ＲＬＣ−Ｕは、ＭＴＦ１３から中断状態（Ｓｕｓｐｅｎｄ状態）の遷移要求を受けると、中断状態遷移後に発生したパケットの送信要求の廃棄を防ぐため、Ｓｕｓｐｅｎｄ開始通知（パケットの送信要求の発生禁止要求）をＴＡＦ１２に送信して（ステップＳＴ１，ＳＴ２）、中断状態（Ｓｕｓｐｅｎｄ状態）に遷移し、パケットの送信処理を中断する（ステップＳＴ３）。
【００３２】
移動局のＭＴＦ１３は、ＲＬＣ−Ｕが中断状態（Ｓｕｓｐｅｎｄ状態）に遷移すると、３ＧＰＰ規格（ＴＳ２５．３３１：ＲＲＣ  ｐｒｏｔｏｃｏｌ  ｓｐｅｃｉｆｉｃａｔｉｏｎ）にしたがって動作するので、セルの更新処理を開始して、セル位置の更新要求（例えばＣＥＬＬ  ＵＰＤＡＴＥ）をＢＳ１４に送信する。
【００３３】
ＢＳ１４は、移動局からセル位置の更新要求を受けると、その移動局の位置を確認し、その移動局に対してセル位置の更新確認（例えばＣＥＬＬ  ＵＰＤＡＴＥ  ＣＯＮＦＩＲＭ）を発信する。このとき、ＢＳ１４は、移動局のＭＴＦ１３のＲＬＣ−Ｕの再設定指示（ＲＬＣ−Ｕのリンクリセット指示）を付加することがある。
この場合、移動局のＭＴＦ１３のＲＬＣ−Ｕは、Ｕ−ｐｌａｎｅ無線レイヤ２の再設定を実施する。
【００３４】
一方、移動局１２のＴＡＦ１２は、ＴＥ１１がパケットの送信要求を発生すると、そのパケットの送信要求を受け付けて、そのパケットの送信要求をＭＴＦ１３に出力するが、上記のようにして、ＲＬＣ−ＵからＳｕｓｐｅｎｄ開始通知を受けると、そのパケットの送信要求の出力を禁止する状態に遷移する（ステップＳＴ１１，ＳＴ１２）。
これにより、移動局１２のＴＡＦ１２は、以後、ＴＥ１１がパケットの送信要求を発生しても、そのパケットの送信要求をＭＴＦ１３に出力せずに保持するようにする（ステップＳＴ１３，ＳＴ１４，ＳＴ１６）。
【００３５】
その後、移動局のＭＴＦ１３は、ＲＬＣ−Ｕが再設定が完了すると、チャネルの切替完了通知（例えばＰＨＹＳＩＣＡＬ  ＣＨＡＮＮＥＬ  ＲＥＣＯＮＦＩＧＵＲＡＴＩＯＮ  ＣＯＭＰＬＥＴＥ）をＢＳ１４に送信し、中断状態の解除要求をＲＬＣ−Ｕに出力する。
【００３６】
ＲＬＣ−Ｕは、ＭＴＦ１３から中断状態の解除要求を受けると、Ｓｕｓｐｅｎｄ終了通知（パケットの送信要求の発生禁止解除要求）をＴＡＦ１２に送信して（ステップＳＴ４，ＳＴ５）、中断状態（Ｓｕｓｐｅｎｄ状態）を解除し、パケットの送信処理を開始できる状態にする（ステップＳＴ６）。
【００３７】
移動局１２のＴＡＦ１２は、ＲＬＣ−ＵからＳｕｓｐｅｎｄ終了通知を受けると、パケットの送信要求の出力を禁止する状態を解除し（ステップＳＴ１７，ＳＴ１８）、出力禁止中に保持したパケットの送信要求、即ち、ステップＳＴ１６でキューイングしたパケットの送信要求をＭＴＦ１３に出力する（ステップＳＴ１９，ＳＴ２０）。
ＲＬＣ−Ｕは、ＭＴＦ１３がＴＡＦ１２からパケットの送信要求を受けると、そのパケットをＢＳ１４に送信する。
【００３８】
以上で明らかなように、この実施の形態１では、ＭＴＦ１３がセルの更新処理を開始すると、ＭＴＦ１３によるセルの更新処理が完了するまでの間、ＴＡＦ１２がパケットの送信要求をＭＴＦ１３に与えずに保持するように構成したので、セルの更新処理に伴ってパケットの送信要求がＲＬＣ−Ｕにおいて廃棄される事態を防ぐことができる。したがって、基地局からＲＬＣ−Ｕの再設定指示を受けても、パケットの送信要求が廃棄されることなく、そのパケットを確実にＢＳ１４に送信することができる効果を奏する。
【００３９】
実施の形態２．
上記実施の形態１では、チャネルの切替要求に伴ってセルの更新処理が行われるものについて示したが、移動局があるセルから他のセルに移行した場合にもセルの更新処理が行われる。
したがって、このような場合でも、パケットの送信要求が廃棄される可能性があるので、移動局のＭＴＦ１３がセル間移動時に中断状態（Ｓｕｓｐｅｎｄ状態）の遷移要求をＲＬＣ−Ｕに出力すると、ＲＬＣ−ＵがＳｕｓｐｅｎｄ開始通知をＴＡＦ１２に出力して、ＴＥ１１から発生したパケットをＴＡＦ１２に保持させるようにする。
以下、上記実施の形態１と同様であるため詳細な説明を省略するが、セル間移動時においても、パケットの送信要求の廃棄を防止することができる。
【００４０】
実施の形態３．
上記実施の形態１では、ＲＬＣ−ＵがＳｕｓｐｅｎｄ開始通知をＴＡＦ１２に送信すると、ＴＡＦ１２がＲＬＣ−ＵからＳｕｓｐｅｎｄ終了通知を受けるまでの間にＴＥ１１から発生されたパケットの送信要求については、ＲＬＣ−Ｕに出力せずに保持するものについて示したが、図４に示すように、ＲＬＣ−ＵがＳｕｓｐｅｎｄ開始通知をＭＴＦ１３内のパケット受信部１５に送信するようにしてもよい。
【００４１】
ＭＴＦ１３のパケット受信部１５は、ＴＡＦ１２から送信されたパケットの送信要求を受信すると、通常、そのパケットの送信要求をＲＬＣ−Ｕに出力するが、ＲＬＣ−ＵからＳｕｓｐｅｎｄ開始通知を受けると、ＲＬＣ−ＵからＳｕｓｐｅｎｄ終了通知を受けるまでの間にＴＡＦ１２から送信されたパケットの送信要求については、ＲＬＣ−Ｕに出力せずに保持するようにする。
これにより、上記実施の形態１と同様の効果を奏することができる。
なお、この実施の形態３では、ＭＴＦ１３は送信処理手段だけではなく、送信要求受付手段の一部を構成する。即ち、ＭＴＦ１３のパケット受信部１５が送信要求受付手段の一部を構成する。
【００４２】
実施の形態４．
上記実施の形態１では、ＲＬＣ−ＵがＳｕｓｐｅｎｄ開始通知をＴＡＦ１２に送信すると、ＴＡＦ１２がＲＬＣ−ＵからＳｕｓｐｅｎｄ終了通知を受けるまでの間にＴＥ１１から発生されたパケットの送信要求については、ＲＬＣ−Ｕに出力せずに保持するものについて示したが、ＲＬＣ−ＵがＳｕｓｐｅｎｄ開始通知をＴＥ１１に送信するようにしてもよい。
【００４３】
ＴＥ１１は、上記のようにしてＲＬＣ−ＵからＳｕｓｐｅｎｄ開始通知を受けると、ＲＬＣ−ＵからＳｕｓｐｅｎｄ終了通知を受けるまでの間、パケットの送信要求を発生しないようにする。
これにより、上記実施の形態１と同様の効果を奏することができる。
【００４４】
実施の形態５．
上記実施の形態１では、ＴＡＦ１２がパケットの送信要求をＭＴＦ１３に出力せずに保持することにより、パケットの送信要求の廃棄を防止するものについて示したが、ＲＬＣ−Ｕのセルの更新処理に伴ってパケットの送信要求が廃棄された場合、再度、ＴＡＦ１２がパケットの送信要求をＭＴＦ１３に出力するようにしてもよい。
【００４５】
この実施の形態５では、ＲＬＣ−ＵがＭＴＦ１３から中断状態（Ｓｕｓｐｅｎｄ状態）の遷移要求を受けても、上記実施の形態１のように、Ｓｕｓｐｅｎｄ開始通知をＴＡＦ１２に送信する処理を実行しない。
したがって、この場合、ＴＡＦ１２がパケットの送信要求をＭＴＦ１３に出力することになるため、そのパケットの送信要求がＲＬＣ−Ｕにキューイングされ、ＢＳ１４からの再設定指示に伴って、ＲＬＣ−Ｕが保持していたパケットの送信要求が廃棄される可能性がある。
【００４６】
そこで、この実施の形態５では、図５に示すように、ＴＡＦ１２がパケットの送信要求をＭＴＦ１３に出力する際、その送信要求にシーケンス番号を付加してＭＴＦ１３に出力し、ＭＴＦ１３の所定のメモリ領域に当該シーケンス番号を記憶する。
そして、ＭＴＦ１３のＲＬＣ−Ｕは、ＢＳ１４からの再設定指示に伴って、保持していたパケットの送信要求を廃棄した場合、その廃棄したパケットの送信要求のシーケンス番号の一覧をＴＡＦ１２に送信する。
【００４７】
ＴＡＦ１２は、ＭＴＦ１３のＲＬＣ−Ｕからシーケンス番号の一覧を受けると、その一覧を参照することにより、廃棄されたパケットの送信要求を把握し、再度、そのパケットの送信要求をＭＴＦ１３に出力するようにする。
これにより、ＲＬＣ−Ｕによりパケットの送信要求が廃棄される事態が発生しても、そのパケットを確実にＢＳ１４に送信することができる。
【００４８】
実施の形態６．
上記実施の形態１〜５では、ＴＥ１１、ＴＡＦ１２及びＭＴＦ１３から移動局が構成されているものについて示したが、図６に示すように、移動局にはＴＥ１１及びＴＡＦ１２が搭載されず、ＴＥ１１及びＴＡＦ１２から構成された終端端末装置と、その移動局とが無線又は有線によって接続されるようにしてもよく、上記実施の形態１〜５と同様の効果を奏することができる。ただし、この場合、終端端末装置のＴＡＦ１２は要求出力手段を構成する。
【００４９】
あるいは、図７に示すように、ＴＥ１１及びＴＡＦ１２から構成された終端端末装置と、ＴＥ１１、ＴＡＦ１２及びＭＴＦ１３から構成された移動局とが無線又は有線によって接続されるようにしてもよい。ただし、この場合、終端端末装置のＴＡＦ１２は要求出力手段を構成する。
【００５０】
【発明の効果】
以上のように、この発明によれば、送信処理手段がセルの更新処理を開始すると、送信処理手段によるセルの更新処理が完了するまでの間、送信要求受付手段がパケットの送信要求を送信処理手段に与えずに保持するように構成したので、基地局からＲＬＣ−Ｕの再設定指示を受けても、パケットの送信要求が廃棄されることなく、そのパケットを確実に基地局に送信することができる効果がある。
【００５１】
この発明によれば、送信要求受付手段の一部を構成するアダプタ部がパケットの送信要求を保持するように構成したので、パケットの送信要求が廃棄されることなく、アダプタ部に保持される効果がある。
【００５２】
この発明によれば、送信要求受付手段の一部を構成する無線回線終端部のパケット受信部がパケットの送信要求を保持するように構成したので、パケットの送信要求が廃棄されることなく、パケット受信部に保持される効果がある。
【００５３】
この発明によれば、送信処理手段がセルの更新処理を開始すると、送信処理手段によるセルの更新処理が完了するまでの間、送信要求受付手段がパケットの送信要求の発生を禁止するように構成したので、基地局からＲＬＣ−Ｕの再設定指示を受けても、パケットの送信要求が廃棄されることなく、そのパケットを確実に基地局に送信することができる効果がある。
【００５４】
この発明によれば、送信処理手段からパケットの送信要求を廃棄した旨の通知を受けると、再度、送信要求受付手段がそのパケットの送信要求を送信処理手段に与えるように構成したので、パケットの送信要求が廃棄される事態が発生しても、そのパケットを確実に基地局に送信することができる効果がある。
【００５５】
この発明によれば、送信要求受付手段がパケットの送信要求を送信処理手段に与える際、その送信要求にシーケンス番号を付加して送信処理手段に与える一方、送信処理手段から廃棄された送信要求のシーケンス番号の一覧を受けるように構成したので、廃棄されたパケットの送信要求を把握することができる効果がある。
【００５６】
この発明によれば、移動局がセルの更新処理を開始すると、移動局によるセルの更新処理が完了するまでの間、要求出力手段がパケットの送信要求を移動局に与えずに保持するように構成したので、基地局からＲＬＣ−Ｕの再設定指示を受けても、パケットの送信要求が廃棄されることなく、そのパケットを確実に基地局に送信することができる効果がある。
【００５７】
この発明によれば、移動局がセルの更新処理を開始すると、移動局によるセルの更新処理が完了するまでの間、要求出力手段がパケットの送信要求の発生を禁止するように構成したので、基地局からＲＬＣ−Ｕの再設定指示を受けても、パケットの送信要求が廃棄されることなく、そのパケットを確実に基地局に送信することができる効果がある。
【００５８】
この発明によれば、移動局からパケットの送信要求を廃棄した旨の通知を受けると、再度、要求出力手段がそのパケットの送信要求を移動局に与えるように構成したので、パケットの送信要求が廃棄される事態が発生しても、そのパケットを確実に基地局に送信することができる効果がある。
【００５９】
この発明によれば、移動局の送信処理手段がセルの更新処理を開始すると、送信処理手段によるセルの更新処理が完了するまでの間、移動局の送信要求受付手段がパケットの送信要求を送信処理手段に与えずに保持するように構成したので、基地局からＲＬＣ−Ｕの再設定指示を受けても、パケットの送信要求が廃棄されることなく、そのパケットを確実に基地局に送信することができる効果がある。
【００６０】
この発明によれば、移動局の送信処理手段がセルの更新処理を開始すると、送信処理手段によるセルの更新処理が完了するまでの間、移動局の送信要求受付手段がパケットの送信要求の発生を禁止するように構成したので、基地局からＲＬＣ−Ｕの再設定指示を受けても、パケットの送信要求が廃棄されることなく、そのパケットを確実に基地局に送信することができる効果がある。
【００６１】
この発明によれば、送信処理手段からパケットの送信要求を廃棄した旨の通知を受けると、再度、移動局の送信要求受付手段がそのパケットの送信要求を送信処理手段に与えるように構成したので、パケットの送信要求が廃棄される事態が発生しても、そのパケットを確実に基地局に送信することができる効果がある。
【００６２】
この発明によれば、移動局がセルの更新処理を開始すると、移動局によるセルの更新処理が完了するまでの間、パケットの送信処理を実施する移動局内の処理部に対してパケットの送信要求を与えずに保持するように構成したので、基地局からＲＬＣ−Ｕの再設定指示を受けても、パケットの送信要求が廃棄されることなく、そのパケットを確実に基地局に送信することができる効果がある。
【００６３】
この発明によれば、移動局がセルの更新処理を開始すると、移動局によるセルの更新処理が完了するまでの間、パケットの送信要求の発生を禁止するように構成したので、基地局からＲＬＣ−Ｕの再設定指示を受けても、パケットの送信要求が廃棄されることなく、そのパケットを確実に基地局に送信することができる効果がある。
【００６４】
この発明によれば、パケットの送信処理を実施する移動局内の処理部からパケットの送信要求を廃棄した旨の通知を受けると、再度、そのパケットの送信要求を処理部に与えるように構成したので、パケットの送信要求が廃棄される事態が発生しても、そのパケットを確実に基地局に送信することができる効果がある。
【図面の簡単な説明】
【図１】  この発明の実施の形態１によるパケット通信システムの処理内容を示す処理フロー図である。
【図２】  ＲＬＣ−Ｕの処理内容を示すフローチャートである。
【図３】  ＴＡＦの処理内容を示すフローチャートである。
【図４】  この発明の実施の形態３によるパケット通信システムの処理内容を示す処理フロー図である。
【図５】  この発明の実施の形態５によるパケット通信システムの処理内容を示す処理フロー図である。
【図６】  この発明の実施の形態６によるパケット通信システムを示す構成図である。
【図７】  この発明の実施の形態６によるパケット通信システムを示す構成図である。
【図８】  従来のパケット通信システムの処理内容を示す処理フロー図である。
【図９】  ＭＴＦの内部を示す構成図である。
【符号の説明】
１１  ＴＥ、１２  ＴＡＦ（送信要求受付手段）、１３  ＭＴＦ（送信処理手段）、１４  ＢＳ（基地局）、１５  パケット受信部（送信要求受付手段）。
【図１】
0003784709.tif 000002
【図２】
0003784709.tif 000003
【図３】
0003784709.tif 000004
【図４】
0003784709.tif 000005
【図５】
0003784709.tif 000006
【図６】
0003784709.tif 000007
【図７】
0003784709.tif 000008
【図８】
0003784709.tif 000009
【図９】
0003784709.tif 000010